(57)【特許請求の範囲】
【請求項１】
前面部が前方の室床方向に傾斜する前板を備え、内部に収容した送風機ユニットの作動及び停止を前記前面部に設けた操作部で操作するレンジフードファンにおいて、内部をコード配線空間とする配線用縦杆の一端側に設けたスイッチ取付台にコード配線空間の内部配線と結線した状態でスイッチ部を取付ると共に配線用縦杆の中途部にコード配線空間の内部配線と結線した状態でランプを取付て電装品ユニットを構成し、該電装品ユニットの他端側を前板の頂部に、一端側を前板下縁の縁取り部裏面中央部に固定したブラケットに各々着脱可能に取付けてなり、該スイッチ部はその下縁に前半部で前記縁取り部に対するブラケットの固定部を表面側からカバーする化粧縁を備え、該化粧縁の後半部を鉛直状乃至後方下向き傾斜状の角度をもって垂設し、その後半部にスイッチに連絡する操作部を配置していることを特徴とするレンジフードファン。
【発明の詳細な説明】
【０００１】
【発明の属する技術分野】
本発明は、燃焼器具や調理物から立ち昇る廃ガスを含む排煙に含まれる水分や油脂分を除去しクリーンにして排気するレンジフードファン、更に詳しくは前面部に設けた操作部の操作性、内装性、電源からの接続コードの耐久性、排煙効率、清掃性が共に向上するレンジフードファンに関するものである。
【０００２】
【従来の技術】
レンジフードファンには前板と、排気装置を備えたフード体と、フード体に設けた仕切板と、その仕切板先端とフード体の天板部に設けたフィルタ桟に支持されるフィルタとを備え、その前板を排煙の捕捉空間を拡張させるために前方の室床方向に向けて傾斜状にしたタイプが一般的に知られている。
そして、このレンジフードファンは、排気装置の作動・停止・回転数の制御、ランプのＯＮ・ＯＦＦ等を行う操作部を前板の前面部に設けている。
【０００３】
【発明が解決しようとする課題】
ところで、レンジフードファンでは通常、消防法の適用からフィルタの下端が床面から略１６０乃至１６５ｃｍ程度の高さとなっている。その結果、前面部も必然的に高い高さに配備される。
その上、前記するタイプのレンジフードファンは、前板が燃焼器具をセットした調理台の上方で前方張出状になる。
そのため、燃焼器具の前に立って操作部を操作しようとする時、操作部が前板で遮られて視線に入らなくなり、操作しずらい。ことに背の低い人や老人等では指が届き難く、操作が一層むずかしくなる。
これを解消すべく図７に示すように前板ａ２の下縁に幅方向全長に亘って後方傾斜状の帯状取付板１０を固定し、その帯状取付板１０に前方斜め下向きに向けて操作部９を配置したレンジフードファンが既に提案されている。
このレンジフードファンは前板ａ２の前面部ａ２’の裏面に仕切板１１を幅方向全長に亘って横架し、その仕切板１１とで収容部（図示せず）を構成するカバー体（図示せず）をその仕切板１１に係脱可能に横設し、その収容部（図示せず）に操作部９の電装部（スイッチ）を収容し、その仕切板１１に下方照明（ランプ）６を取付けている。
しかし、帯状取付板１０の前板ａ２への組付のためスポット溶接痕やヒケ部が室内に露呈して外観を害し、また組立が煩雑であった。
しかも、仕切板１１の幅方向全長への突出によって排煙の捕捉空間Ｘが大幅に削減されて排煙捕捉効率が悪くなり、また接続コード（図示せず）がフィルターａ３前方である排煙の捕捉空間Ｘを横断してフード本体ａ１側から配線される結果、熱と油煙に侵されることからシリコンワニスチューブ等で防護する必要があった。  その上、前板ａ２清掃時には電装品（スイッチ）と下方照明（ランプ）が取付けられているため、洗剤や水が電装品や下方照明にかからないように注意して行わなければならず、厄介であった。
【０００４】
本発明は、従来事情に鑑みてなされたもので、その技術的課題は前板の前面部の裏面に設けられた固定部（ヒケ部等）をカバーする小形な取付手段で前板前面部下縁に操作部を支持すると共にその真上に照明手段を配設して、内装性を害さずに背の低い人や老人等でも操作できる容易操作性と排煙の広い捕捉空間を確保すること。操作部の電装部（スイッチ）及びランプへの接続コードを排煙の捕捉空間に露呈せずに接続することである。
他の技術的課題は、前板清掃時に前板に固定されたブラケット以外のスイッチ手段、ランプ手段、配線保持手段等を一挙に取り外すことである。
【０００５】
【課題を解決するための手段】
上記課題を達成するために講じた技術的手段は、前面部が前方の室床方向に傾斜する前板を備え、内部に収容した送風機ユニットの作動及び停止を前記前面部に設けた操作部で操作するレンジフードファンにおいて、内部をコード配線空間とする配線用縦杆の一端側に設けたスイッチ取付台にコード配線空間の内部配線と結線した状態でスイッチ部を取付ると共に配線用縦杆の中途部にコード配線空間の内部配線と結線した状態でランプを取付て電装品ユニットを構成し、該電装品ユニットの他端側を前板の頂部に、一端側を前板下縁の縁取り部裏面中央部に固定したブラケットに各々着脱可能に取付けてなり、該スイッチ部はその下縁に前半部で前記縁取り部に対するブラケットの固定部を表面側からカバーする化粧縁を備え、該化粧縁の後半部を鉛直状乃至後方下向き傾斜状の角度をもって垂設し、その後半部にスイッチに連絡する操作部を配置していることを要旨とする。また、前記配線用縦杆は、断面ロ型状を呈しその内部中空部でコード配線空間を構成するもの、また断面コ型状を呈し前板裏面にその開放縁が当接してコード配線空間を構成するものとする。
更に、操作部は、押しボタン式、タッチ式等が挙げられる。
【０００６】
上記技術的手段によれば下記の作用がある。
前方の室床方向に傾斜する前板の最も低い位置で且つ調理台前方位置から見える部分に前向きから前方斜め下向きの角度範囲をもって操作部を配置することができる。
また、排煙の捕捉空間に突出するスイッチ部を前板の裏面側中央部に取付け、その真上にランプを配置して、排煙の捕捉空間の占有を出来る限り小さくする。しかも、清掃時にはブラケットを除く前板に装備される接続コード、スイッチ部等の器具類全てを前板から一挙に外すことができる。
更に、配線用縦杆が接続コードを排煙から防護する。
そして、ランプの総重量が前板の頂部とスイッチ取付部分（ブラケット）とで分散して一か所に集中するのを回避することができる。
【０００７】
【発明の実施の形態】
次に、本発明の実施の形態を図面に基づいて説明する。
図１乃至図５において、符号Ａはレンジフードファン本体である。
【０００８】
このレンジフードファン本体Ａは、図１に示すように前面及び下面を開放したフード体ａ１の前面を前板ａ２で着脱可能に被蓋すると共にそのフード体ａ１の左右側板ａ１’、ａ１’に架設した仕切板ａ１”先端の桟（図示せず）と天板  （図示せず）に設けた桟（図示せず）とでフィルタａ３を係脱可能に支持した箱形状になっており、フィルタａ３背後には送風機ユニット（図示せず）を収容している。
【０００９】
このレンジフードファン本体Ａの前板ａ２の前面部ａ２’は、フィルタａ３との間の排煙の捕捉空間Ｘを広くするために前方の室内床側に向かって傾斜状になっており、その下縁に断面Ｌ型の縁取り部１を奥行き方向に上向きに折曲形成して、前板ａ２をフード体ａ１に係脱させる際の取扱作業時に鋭利な縁で怪我等しないように配慮してある。
【００１０】
このレンジフードファン本体Ａの前板ａ２裏面部には、電装品ユニットＢが装備されている。符号２はブラケットである。
【００１１】
ブラケット２は、一対のＬ型片であり、図４に示すように前板ａ２の縁取り部１中央を挟んでその底部分にスポット溶接等の適宜手段で固定され、後述するスイッチカバー５５の長さ寸法よりも大きな間隔をもって立上がる一対の取付板部１２、１２を前板ａ２裏面と平行にしてなり、この取付板部１２各々に第１固定孔１００  を開孔している。
【００１２】
電装品ユニットＢは、配線用縦杆３とスイッチ取付台４とを一体化し、且つそのスイッチ取付台４にスイッチ部５を、また配線用縦杆３にランプ６を取付けて構成されている。
【００１３】
スイッチ取付台４は、図２乃至図４に示すように前記一対のブラケット２、２に端部が重なり合う程度の長さを有する前板固定板部１４両端部に前記第１固定孔１００  、１００  に対応して第２固定孔２００  、２００  を開孔し、該前板固定板部１４先端両端部を除いて折曲板部２４をフィルタａ３側に折曲した形状になっており、その折曲板部２４先端には第３固定孔３００  を、また折曲板部２４基端部側には第４固定孔４００  を各々開孔すると共に、折曲板部２４先端の中央板部２４ａに対して左右板部２４ｂ、２４ｂを段違いにして長さ方向２箇所に差し込み空間２４ｃを形成している。
このスイッチ取付台４は、その前板固定板部１４を配線用縦杆３の一端部（下端部）に添接するように溶着等の適宜手段で固定することによって配線用縦杆３と一体化してある。
【００１４】
配線用縦杆３は、図３に示すように内部を後述するスイッチ２５への接続コード７及びランプ６への接続コード７のコード配線空間１３とする断面コ型状を呈してなり、スイッチ取付台４に固定されない他端部（上端部）に係止突片２３を突設すると共に、中途部に窓孔（コード取出部）３３を、またその窓孔３３よりもスイッチ取付台４側よりに小開口４３を開口している。
【００１５】
前記係止突片２３は、前板ａ２頂部に開孔した一対の係止孔ａ２”に差し込み係止するように開口縁中央部に設けたＵ字溝（コード導入部）５３を挟んで一対傾斜状に突設させてある。
【００１６】
接続コード７は、電源及び送風機へのコネクタ１７、ランプ６へのコネクタ２７、スイッチ２５へのコネクタ３７を備えている。
この接続コード７は、前記Ｕ字溝（コード導入部）５３から電源、送風機へのコネクタ１７を、また窓孔（コード取出部）３３からランプ６へのコネクタ２７を、更にはスイッチ取付台４側の開口端（コード取出部）６３からスイッチ２５へのコネクタ３７を各々引き出した状態で予め配線用縦杆３のコード配線空間１３に配線固定してある。
【００１７】
スイッチ部５は、図２、図４に示すようにスイッチ支持枠１５、スイッチ２５を収容するケース３５、化粧縁４５、スイッチカバー５５とから構成されている。
【００１８】
スイッチ支持枠１５は、帯板部１５ａの両端部からＬ形帯板部１５ｂ、１５ｂを下向きで且つ逆向きに連設した形状になっており、前記帯板部１５ａに前記スイッチ取付台４の第３固定孔３００  と対応して第５固定孔５００  を開孔し、前記Ｌ形帯板部１５ｂ下端の腕板部１５ｃを挿通するネジ８を、スイッチ２５を収容するケース３５から突設する支持板３５ａを貫通させて化粧縁４５裏面の支持部４５ａに螺着することでスイッチ２５、化粧縁４５と一体的になっている。
【００１９】
スイッチ２５は、コネクタ２５ａを有してなり、図４に示すようにスイッチ取付台４側の開口端（コード取出口）６３から引き出されているコネクタ３７に結線した状態でスイッチ支持枠１５の帯板部１５ａを前記差し込み空間２４ｃに挟持状に差込んでスイッチ取付台４にセットした後、スイッチ取付台４の第３固定孔３００  とスイッチ支持枠１５の第５固定孔５００  とをネジ８止めしてスイッチ取付台４に取付られている。
【００２０】
化粧縁４５は、図２、図４に示すように前半部を前記縁取り部１の底表面にオーバーラップする幅寸法で且つ前記ブラケット２、２間隔よりも若干長い長さを有し、前述のように配線用縦杆３の係止突片２３を前板ａ２頂部に開孔した一対の係止孔ａ２”に差し込み係止してスイッチ取付台４の前板固定板部１４をブラケット２、２の取付板部１２、１２に添接した状態において、前半部で前記固定部（図６参照）Ｙであるスポット溶接によるヒケ部等を表面側から隠し、後半部に開孔したガイド孔４５ｂからスイッチ２５に連絡する操作部９を前方斜め下向きに向かせて突出させるようになる。
この操作部９は、送風機ユニットのＯＮ・ＯＦＦ、その回転数の選定、照明手段であるランプのＯＮ・ＯＦＦをコントロールする時の押しボタン、タッチボタン等である。
【００２１】
スイッチカバー５５は、化粧縁４５及び前記スイッチ取付台４の第２固定孔２００  を有する前板固定部１４両端部を除いてスイッチ２５及びスイッチ支持枠１５を収容した状態でスイッチ取付台４に取付けられる。
【００２２】
このスイッチカバー５５は、図４に示すように前板ａ２の前面部ａ２’裏面と対向する前側と、下側とを開放した箱形状を呈し、その天板部５５ａの開放縁中央部に配線用縦杆３を嵌合させる矩形切欠５５ｂを切欠すると共にその矩形切欠５５ｂを挟んで開放縁の左右に小切欠５５ｃ、５５ｃを、また側板部５５ｄに前記スイッチ取付台４における前板固定板部１４の両端部を外側に突出させる切欠５５ｅまたは小孔を各々形成している。
そして、このスイッチカバー５５は、下側の開放縁を前記化粧縁４５の後半部縁に係合させて、スイッチ２５、スイッチ支持枠１５を被覆した状態で前記第４固定孔４００  とそれに対応して天板部５５ａに開孔した第６固定孔６００  とをネジ８止めすることによってスイッチ取付台４に取付けられている。
【００２３】
ランプ６は、ランプ取付台１６、ランプ取付台１６で支持されるランプ体２６、それらをカバーするランプケース３６とからなっている。
【００２４】
ランプ取付台１６は、図４に示すように前板ａ２裏面と平行となる平面部１６ａの上縁と側縁一方から平面部１６ａに対して直角よりも若干大きな角度をもって傾斜面１６ｂと側面１６ｃを各々起設して反射部１６ｄを形成し、その側面１６ｃにランプレセップ１６ｅを取付け、傾斜面１６ｂ、側面１６ｃの起縁にカバー面１６ｆを延設して、そのカバー面１６ｆの背後を接続コード７との接続空間１６ｇとしてなり、平面部１６ａの下端には前記小開口４３に差し込み係合する位置決め突片１６ｈを突設形成している。
符号１６ｉは、配線用縦杆３に嵌合するために嵌合用切欠である。
【００２５】
また、ランプ取付台１６は、前記窓孔３３から引き出されているコネクタ２７にランプレセップ１６ｅに連結するコネクタ４７を結線した状態で位置決め突片１６ｈを小開口４３に差し込み、配線用縦杆３にネジ８止めされている。
【００２６】
ランプケース３６は、図示するように下面と背面とを略Ｌ型状に連設する共にその左右開放部を側面で閉塞した横向き屋根型状を呈してなり、内部をランプ取付台１６の収容空間としてなり、下面に透光ガラス３６ａを備えると共に下縁に突片３６ｂ、３６ｂを突設形成し、その突片３６ｂ，３６ｂを前記スイッチカバーの小切欠５５ｃ、５５ｃに差し込み係合した状態で配線用縦杆３にネジ８止めしてある。
【００２７】
斯様に前板ａ２裏面のブラケット２、２を除いてスイッチ２５、ランプ６、それらに必要な接続コード７等を一体化した電装品ユニットＢは、上端の係止突片２３を前板ａ２頂部の係止孔ａ２”に差し込み係止すると共に、スイッチカバー５５の側板部５５ｄに形成した切欠５５ｅまたは小孔から左右に突出する前板固定板部１４の第２固定孔２００  をブラケット２の第１固定孔１００  にネジ８止めして前板ａ２裏面に縦架するように装備される。この時、配線用縦杆３は前板ａ２裏面側の開放部が前板ａ２裏面に当接して塞がれて接続コード７を排煙の捕捉空間Ｘを上昇する排煙から防護する（図５）。
この電装品ユニットＢは、ブラケット２に対する螺合を解除すると共に係止突片２３を係止孔ａ２”から引き抜くことで前板ａ２から容易に外すことができる。
【００２８】
このようなスイッチ構造及び配線構造を有するレンジフードファンは、離れている時には操作部９の取付構造がその固定部Ｙと共に前板ａ２で前側から隠され、前板ａ２の前面部ａ２’を平面のままスッキリと露呈させる。調理台の前に立った時、離れていた時には目立たなかった操作部９が前板ａ２の最も低い位置で顕著な姿で現れ、指先の押し動作によって操作できる。スイッチ２５への接続コード７、ランプ６への接続コード７が排煙から防護され、また、ランプ（ランプ取付台、ランプケース、ランプ体を含む）６の総重量が前板ａ２とスイッチ取付部分に分散して支持され、耐久性が大幅に向上する。ブラケット２を除いて前板ａ２からスイッチ２５、ランプ６、それらの接続コード７等全ての器具類を一挙に外して前板ａ２を丸洗い可能にする。前板ａ２裏面の中央部に設けたスイッチ部５の延長上だけにランプ６が配設され、それも複数の燃焼器具から上昇する排煙の上昇量の一番すくない中央部に設けられることから、排煙の捕捉効率を低下させる虞れがなくなる。等の利点を達成できる。
【００２９】
尚、図示しないが、ブラケット２のその固定部Ｙを表面側からカバーする化粧縁４５の後半部を垂設してその部分から操作部９を前方に水平に突設させても良いものである。この場合には前記折曲板部２４を鉛直方向に垂設し、その部分にスイッチ支持枠１５を直角状にネジ止めすれば良い。
【発明の効果】
本発明は以上のように構成したから、下記の利点がある。
電装品ユニットの一部を構成するスイッチ部下端における化粧縁の後半部を縁取り部レベルから鉛直状乃至後方下向き傾斜状に垂設し、その部分に操作部を配置したので、操作部が低い位置で且つ見やすく、操作が非常にしやすくなり、しかもブラケットの固定部（スポット溶接、ネジ、リベット）がその化粧縁の前半部で表面側から被覆されて室内に露出せず、調理台の前に立った時に操作部と共に化粧縁だけが認識されるようになって、前板の広い前面部が平面のまま室内に露呈し、今までにないシンプルでさわやかなスッキリ感が得られる。
そのため、外観が向上する上、背の低い人や老人等でも排気装置の作動・停止・回転数の制御、ランプのＯＮ・ＯＦＦ等を容易且つ近くで行える。
その上、スイッチ、ランプへの接続コードを排煙からカバーする配線用縦杆にスイッチ取付台、スイッチ部、ランプを一体化し、その電装品ユニットを前板頂部とブラケットとに亘って前板裏面に沿うように架設したから、接続コードのカバー手段（配線用縦杆）を利用してランプを安定的に取付支持することができ、接続コードをシリコンワニスチューブ等で防護したり、ランプの取付手段を別途設けることなく、接続コードの排煙からの防護とランプの安定的取付けとを共通する配線用縦杆を使用して行え、構造簡単で非常に経済的になる。
その上、ブラケットを除いて電装品を含む全ての器具類を一挙に取り外せ、前板を丸洗いする際の前作業が非常に簡単なものとなる。
その際、ブラケットは、小形なもので済むことから、前板の洗浄も簡単なものになる。
しかも、縁取り部の裏面中央部に固定したブラケットに真上縦一列にスイッチ部、ランプを支持したものであるから、排煙の捕捉空間に突出する体積も極小となり、従来のようにランプを支持する仕切板で排煙の捕捉空間が大幅に遮られることもなくなり、排煙の捕捉効率が大幅にアップできる。
【図面の簡単な説明】
【図１】本実施の形態のレンジフードファンの斜視図。
【図２】図１の（２）−（２）線拡大断面図で中間省略して示す。
【図３】配線用縦杆とスイッチ取付台とを一体化したユニット体の斜視図。
【図４】電装品ユニットの分解斜視図。
【図５】前板の裏面からの斜視図。
【図６】ブラケットの固定部分を示す拡大斜視図で一部切欠して示す。
【図７】従来のレンジフードファンの斜視図。
【符号の説明】
Ａ：レンジフードファン本体      ａ２  ：前板
ａ２’：前面部                  ９  ：操作部
１：縁取り部                    ４  ：スイッチ取付台
５５：スイッチカバー              ４５  ：化粧縁
３：配線用縦杆                  １３  ：コード配線空間
５３：コード導入部                ３３、６３：コード取出部
５：スイッチ部                  Ｂ  ：電装品ユニット
２５：スイッチ                    ６：ランプ
３６：ランプケース
【図１】
0003605455.tif 000002
【図２】
0003605455.tif 000003
【図３】
0003605455.tif 000004
【図４】
0003605455.tif 000005
【図５】
0003605455.tif 000006
【図６】
0003605455.tif 000007
【図７】
0003605455.tif 000008